(57)【要約】【課題】キャップをスパウトに低い締めトルクで安定して螺着でき、キャップをスパウトから低い開けトルクで螺脱でき、しかも、密封性が良好な口栓を提供する。【解決手段】容器の注出位置に突設するスパウト２００　とこのスパウトに螺着するキャップ１００　とからなる口栓１０であって、キャップの天板１１０　下面に、スパウトの注出筒２１０　の先端部内周面に外周面を密接するインナー封止リング１１２　を設け、このインナー封止リングの外周上端に隣接して、下端先端をスパウトの注出筒の上面に密接し、この下端先端が幅方向の中心線Ｌ　より外側にあるコンタクト封止リング１１１　を設け、かつキャップの周壁内周面の上端部に、スパウトの注出筒の上端部外周と所定の隙間を設けてアウター当接リング１２２　を設ける。【選択図】図１
2004042949.tif 000002
【特許請求の範囲】
【請求項１】
容器の注出位置に突設するスパウトと該スパウトに螺着するキャップとからなる口栓において、前記キャップの天板下面に、前記スパウトの注出筒の先端部内周面に外周面を密接するインナー封止リングを設け、該インナー封止リングの外周上端に隣接して、下端先端を前記スパウトの注出筒の上面に密接し、該下端先端が幅方向の中心線より外側にあるコンタクト封止リングを設け、かつ前記キャップの周壁内周面の上端部に、前記スパウトの注出筒の上端部外周と所定の隙間を設けてアウター当接リングを設けることを特徴とする口栓。
【請求項２】
前記キャップのアウター当接リングと前記スパウトの注出筒の上端部外周とに設ける前記隙間が、前記キャップの雌ネジの谷と前記スパウトの雄ネジのネジ山先端との間隔よりも小さいことを特徴とする請求項１記載の口栓。
【発明の詳細な説明】
【０００１】
【発明の属する技術分野】
本発明の口栓は、液体内容物に使用する容器の注出位置に突設するスパウト（注出口具）と、このスパウトに螺着するキャップとからなる口栓に関するものである。
【０００２】
【従来の技術】
従来、食品や非食品などの液体内容物に使用する容器には、使用時の使い易さを考慮して、例えば、図３に示すように、胴部（２１）が四角柱状で、切り妻屋根形の頂部の傾斜板（２２）にキャップ（１００）とスパウトとからなる口栓（１０）を突設した液体用紙容器（２０）が、広い用途範囲にわたって使用されていた。この口栓（１０）には、密封性を良好にするために、例えば、図４に示すように、キャップ（１００）の天板（１１０）下面に、スパウト（２００）の注出筒（２１０）の先端上面に先端を密接するコンタクト封止リング（１１１）と、このコンタクト封止リングの内側に、外周面をスパウトの注出筒の先端部内周面に密接するインナー封止リング（１１２）とを垂設して、スパウトの注出筒の上端部を二段階に封止するものが一般的に使用されていた。
【０００３】
【発明が解決しようとする課題】
しかしながら、上述の従来の口栓においては、スパウトにキャップを螺着するときに、スパウトを十分に密封するために、強い閉めトルクでキャップを螺着することがあり、キャップをスパウトから螺脱するときに、強い開けトルク力を必要とすることがあって、キャップをスパウトから螺脱しにくいことがあった。しかし、弱いトルクでキャップを螺着したときは、密封が不十分になることがあった。
【０００４】
本発明は、上述の従来の口栓の問題を解決したものであり、キャップをスパウトに適正な低い閉めトルクで安定して螺着でき、キャップをスパウトから適正な低い開けトルクで螺脱でき、しかも、密封性が良好な口栓を提供するものである。
【０００５】
【課題を解決するための手段】
すなわち、本発明の第１の発明は、容器の注出位置に突設するスパウトとこのスパウトに螺着するキャップとからなる口栓において、前記キャップの天板下面に、前記スパウトの注出筒の先端部内周面に外周面を密接するインナー封止リングを設け、このインナー封止リングの外周上端に隣接して、下端先端を前記スパウトの注出筒の上面に密接し、この下端先端が幅方向の中心線より外側にあるコンタクト封止リングを設け、かつ前記キャップの周壁内周面の上端部に、前記スパウトの注出筒の上端部外周と所定の隙間を設けてアウター当接リングを設けることを特徴とする口栓である。
【０００６】
そして、本発明の第２の発明は、前記キャップのアウター当接リングと前記スパウトの注出筒の上端部外周とに設ける前記隙間が、前記キャップの雌ネジの谷と前記スパウトの雄ネジのネジ山先端との間隔よりも小さいことを特徴とする第１の発明に記載の口栓である。
【０００７】
【発明の実施の形態】
次に、本発明の口栓の実施の形態について、図を用いて詳細に説明する。
図１（ａ）は、本発明の一実施形態の口栓の要部を示す断面図であり、図１（ｂ）は、その封止構造の要部の拡大断面図である。図２は、図１の口栓の封止構造を示す説明図であり、（ａ）は、キャップのインナー封止リングのスパウトの注出筒口部に対する嵌合度が大きい場合であり、（ｂ）は、キャップのインナー封止リングのスパウトの注出筒口部に対する嵌合度が小さい場合であり、そして、（ｃ）は、キャップのスパウトに対する閉めトルク値が高い場合である。図３は、一例の口栓付液体用紙容器の斜視図である。
【０００８】
本発明の口栓は、図３に示す液体用紙容器（２０）や、又は軟質包装材料のパウチなどの注出位置に突設するスパウトと、このスパウトに螺着するキャップとからなる口栓である。スパウトは、通常、ポリエチレンなどの熱可塑性樹脂を用いて、射出成形法により作製され、キャップは、通常、ポリプロピレンなどの熱可塑性樹脂を用いて、射出成形法により作製されるものである。
【０００９】
本発明の一実施形態の口栓（１０）の構造は、図１（ａ）に示すように、キャップ（１００）の天板（１１０）下面に、スパウト（２００）の注出筒（２１０）の先端部内周面に外周面（上方開きの傾斜面）を密接するインナー封止リング（１１２）を設け、このインナー封止リングの外周上端に隣接して、下端先端をスパウトの注出筒の上面に密接し、この下端先端が図１（ｂ）に示す幅方向の中心線（Ｌ）より外側にあるコンタクト封止リング（１１１）を設け、キャップの周壁（１２０）内周面の上端部に、スパウトの注出筒の上端部外周と所定の隙間（ｄ）を設けてアウター当接リング（１２２）を設けるものである。なお、キャップの周壁内周面にはスパウトとの雌ネジ（１２１）を設け、スパウトの注出筒の外周面にはキャップとの雄ネジ（２１１）を設けるものである。また、キャップのアウター当接リング（１２２）とスパウトの注出筒（２１０）の上端部外周の形状は、通常では、図１（ａ）に示すように、相対向する傾斜面に形成するものである。
【００１０】
また、図１（ａ）に示すように、キャップ（１００）のアウター当接リング（１２１）とスパウト（２００）の注出筒（２１０）の上端部外周とに設ける隙間（ｄ）は、キャップの雌ネジ（１２１）の谷とスパウトの雄ネジ（２１１）のネジ山先端との間隔（Ｄ）よりも小さく設けるものである。つまり　キャップの雌ネジの谷径とスパウトの雄ネジの外径との差の２分の１より小さく設けるものである。
【００１１】
本発明の口栓は、スパウトの注出筒の上端部内径に対するキャップのインナー封止リングの外径が可なり大きく、インナー封止リングの嵌合代が大きい場合には、図２（ａ）に示すように、インナー封止リング（１１２）が内側へ傾く力（矢印）で、コンタクト封止リング（１１１）の先端がスパウト（２００）の注出筒（２１０）の天面を押さえる力（矢印）が強くなる。この相乗効果により密封度が良好となる。
【００１２】
また、スパウトの注出筒の上端部内径に対するキャップのインナー封止リングの外径がそれほど大きくなく、インナー封止リングの嵌合代が小さい場合には、図２（ｂ）に示すように、コンタクト封止リング（１１１）の先端が外側へ広がる力（矢印）で、インナー封止リング（１１１）の外周面がスパウト（２００）の注出筒（２１０）の上端部内周面を押さえる力（矢印）が強くなる。この相乗効果により密封度が良好となる。
【００１３】
また、キャップをスパウトの注出筒に螺着するときに、キャップの閉めトルクが強い場合には、スパウトの注出筒が外側へ傾くが、本発明の口栓においては、図２（ｃ）に示すように、スパウトの注出筒の上端部をコンタクト封止リングとインナー封止リングとが良好に封止する範囲で、スパウトの注出筒の上端部外周面がキャップの周壁内周面の上端部に設けられているアウター当接リングに当接して、スパウトの注出筒の傾きが停止する。このため、キャップがスパウトに強く閉め過ぎることが防がれ、また、キャップのアウター当接リングとスパウトの注出筒の上端部外周とに設ける隙間が、キャップの雌ネジの谷とスパウトの雄ネジのネジ山先端との間隔よりも小さいため、キャップの雌ネジの谷にスパウトの雄ネジのネジ山先端が当接することもなく、キャップをスパウトから螺脱するときに、強い開けトルク力を必要としない。
【００１４】
【発明の効果】
本発明の口栓は、スパウトとこのスパウトに螺着するキャップとからなり、液体用紙容器や軟質包装材料のパウチなどの注出位置に突設して使用する口栓である。キャップの周壁内周面の上端部には、アウター当接リングが設けられており、このアウター当接リングの作用により、キャップをスパウトに適正な低い閉めトルクで安定して螺着でき、この結果、キャップをスパウトから適正な低い開けトルクで螺脱できる。また、スパウトに適正な閉めトルクで螺着されたキャップは、コンタクト封止リングとインナー封止リングとでスパウトを良好に密封する。
【図面の簡単な説明】
【図１】（ａ）は、本発明の一実施形態の口栓の要部を示す断面図であり、（ｂ）は、その封止構造の要部の拡大断面図である。
【図２】図１の口栓の封止構造を示す説明図であり、（ａ）は、キャップのインナー封止リングのスパウトの注出筒口部に対する嵌合度が大きい場合であり、（ｂ）は、キャップのインナー封止リングのスパウトの注出筒口部に対する嵌合度が小さい場合であり、そして、（ｃ）は、キャップのスパウトに対する締めトルク値が高い場合である。
【図３】一例の口栓付液体用紙容器の斜視図である。
【図４】従来の一例の口栓の封止構造の要部を示す断面図である。
【符号の説明】
１０……口栓
２０……液体用紙容器
２１……胴部
２２……傾斜板
１００……キャップ
１１０……天板
１１１……コンタクト封止リング
１１２……インナー封止リング
１２０……周壁
１２１……雌ネジ
１２２……アウター当接リング
２００……スパウト
２１０……注出筒
２１１……雄ネジ
Ｄ，ｄ……隙間
Ｌ……中心線
【図１】
2004042949.tif 000003
【図２】
2004042949.tif 000004
【図３】
2004042949.tif 000005
【図４】
2004042949.tif 000006